(57)【特許請求の範囲】
【請求項１】
人形を収納するための凹部を有する本体部と、該本体部と組み合わされた際に前記凹部を塞ぐ上蓋とを有する人形用収納ケースであって、
前記本体部の外面に、該本体部が平面上に立設可能なように設けられた平坦部と、
前記凹部の内表面の少なくとも一部に設けられたシート部材と、
前記本体部のうち前記凹部の縁に沿って連続的に設けられた内枠部材と、
前記本体部と組み合わされた際に、前記本体部に設けられた内枠部材と擦接するように前記上蓋の縁に沿って設けられた外枠部材と
を備え、
前記シート部材は前記本体部が立設された場合に、前記凹部に収納された人形の背景として視認されるように配置されており、
前記内枠部材は前記凹部の内表面との間に段差部を形成していることを特徴とする人形用収納ケース。
【請求項２】
前記段差部は、前記本体部が立設された際に前記凹部に収納された人形の底部の下側に位置するように設けられていることを特徴とする請求項１に記載の人形用収納ケース。
【請求項３】
前記段差部は、前記人形の底部より前記凹部の縁部側に形成されていることを特徴とする請求項１に記載の人形用収納ケース。
【請求項４】
前記シート部材は前記凹部に収納された人形の背面側を覆うように設けられていることを特徴とする請求項１から３のいずれか一項に記載の人形用収納ケース。
【請求項５】
前記シート部材は前記凹部の底部から前記凹部の縁部を経て延在して設けられていることを特徴とする請求項１から４のいずれか一項に記載の人形用収納ケース。
【請求項６】
前記上蓋には、前記本体部に組み合わせた際に前記凹部に収納された人形に面する側に、装飾が施されていることを特徴とする請求項１から５のいずれか一項に記載の人形用収納ケース。
【発明の詳細な説明】
【技術分野】
【０００１】
本発明は、保管時に人形を保管する収納ケースとして機能しつつ、展示時には限られたスペースで人形に装飾効果を付加することのできる人形用収納ケースの技術分野に関する。
【背景技術】
【０００２】
展示用の人形は、使用されない保管時には、傷などの損傷から人形を保護するための収納ケースが用意されている。特に節句人形のように比較的高価で繊細な構成を有する人形はデリケートであるため、質感の高い収納ケースが用いられている。特に人形に付属品がある場合や、収納ケース自体にもデザインや装飾を施す場合には、収納ケースが大型化する傾向がある。そのため、人形の展示中にこのような収納ケースを保管するにはある程度のスペースが必要となっている。
【０００３】
一方、人形を展示する際にも、ある程度のスペースが必要である。特に節句人形などは複数の人形や装飾品が組み合わされて、一体的な美的効果を奏する場合があり、その展示にはある程度の広さが求められる。しかしながら、核家族化が進む現代においてはアパートやマンションのように比較的狭い住宅環境で生活する消費者も多い。そのため、この種の人形では限られたスペースで展示と保管を両立可能な製品が要望されている。
【０００４】
例えば特許文献１には、節句人形と付属品とを効率的に収納しつつ、展示時にも使用可能な人形用収納ケースが開示されている。特許文献１では特に、収納ケースの上蓋の上面側に節句人形の背景と機能する屏風が上下に回動可能に取り付けられている。これにより、人形の展示時には屏風を立設状態として、該屏風の前方に節句人形及びその付属品を載せることで、限られたスペースで節句人形を効率的に展示できるとされている。
【先行技術文献】
【特許文献】
【０００５】
【特許文献１】特開２００９―１００８４５号公報
【発明の概要】
【発明が解決しようとする課題】
【０００６】
上記特許文献１では屏風を上蓋の上面に収納できるように、回動機構を設ける必要がある。このような回動機構は複雑な構造を有しており、製造コストの増加につながる。また、回動機構のような可動部は使用期間が長くなるにつれて、経年劣化や摩耗・金属疲労によって壊れやすいという問題点もある。
【０００７】
また、特許文献１に設けられた回動機構によれば、屏風を立設させるか否かの動作しか行うことができないので、人形の展示パターンも実質的に一つに限定されてしまう。この種の人形は長年に亘って使用し続けられる場合が多い。そのため、状況に応じて柔軟なレイアウト変更が可能とすることによって、飽きがこなく、長期的に使用されることが望ましいと考えられる。
【０００８】
本発明は上記問題点に鑑みなされたものであり、保管時に高い保護効果をそうしつつ、展示時には限られたスペースで高い装飾効果を付加できる人形用収納ケースを提供することを目的とする。
【課題を解決するための手段】
【０００９】
本発明に係る人形用収納ケースは上記課題を解決するために、人形を収納するための凹部を有する本体部と、該本体部と組み合わされた際に前記凹部を塞ぐ上蓋とを有する人形用収納ケースであって、前記本体部の外面に、該本体部が平面上に立設可能なように設けられた平坦部と、前記凹部の内表面の少なくとも一部に設けられたシート部材と、前記本体部のうち前記凹部の縁に沿って連続的に設けられた内枠部材と、前記本体部と組み合わされた際に、前記本体部に設けられた内枠部材と擦接するように前記上蓋の縁に沿って設けられた外枠部材とを備え、前記シート部材は前記本体部が立設された場合に、前記凹部に収納された人形の背景として視認されるように配置されており、
前記内枠部材は前記凹部の内表面との間に段差部を形成していることを特徴とする。
【００１０】
本発明によれば、収納時に人形が格納される本体部の凹部の少なくとも一部にシート部材を設けることにより、該本体部を立設されるだけで、凹部に収納した人形に高い装飾効果を付加して展示できる。特に展示した際に、凹部に設けられたシート部材が人形の背景として機能するため、人形の装飾効果を効果的に高めることができる。また、人形を本体部に収納したまま展示することができるので、展示中に本体部を別に保管する必要がなく、限られたスペースで効率的に展示することができる。
【００１１】
前記本体部のうち前記凹部の縁に沿って連続的に設けられた内枠部材と、前記本体部と組み合わされた際に、前記本体部に設けられた内枠部材と擦接するように前記上蓋の縁に沿って設けられた外枠部材とを備え、前記内枠部材は前記凹部の内表面との間に段差部を形成されている。
この場合、特に前記段差部は、前記本体部が立設された際に前記凹部に収納された人形の底部の下側に位置するように設けられていてもよい。このように段差部を設けることによって、凹部に収納された状態で展示された人形の重心を、背面側（凹部の底側）に移動させ、安定性を向上させることができる。これにより、凹部に収納されて展示された人形が衝撃等を受けた場合であっても、外部に脱落する事態を効果的に防止することができる。
【００１２】
また、前記段差部は、前記人形の底部より前記凹部の縁部側に形成されていてもよい。このように段差部を設けると、凹部に収納された状態で展示されている人形が、本体部が傾くなどすることによって凹部の縁側に滑ったとしても、人形の底部が段差部に引っかかり、そのまま外部に脱落することを防止することができる。
【００１３】
前記シート部材は前記凹部に収納された人形の背面側を覆うように設けられていてもよい。このようにシート部材を設けることによって、本体部の凹部に収納された状態で展示された人形の背景の広い範囲にわたってシート部材が及ぶため、高い装飾効果を得ることができる。一方、本体部に上蓋を組み合わせて収納した際にも、本体部の表面と人形との間にシート部材が介在することによって、緩衝材として機能するため、保管時における保護効果も効果的に高めることができる。
【００１４】
前記シート部材は前記凹部の底部から前記凹部の縁部を経て延在して設けられていてもよい。このようにシート部材を設けることにより、展示時にはより広い範囲に亘ってシート部材を閲覧者に視認させることで、装飾効果を高めることができる。一方、人形を保管する際には、延在して設けられた部分を凹部に収納された人形に覆い被せることによって、人形の保護効果を更に高めることができる。
【００１５】
前記上蓋には、前記本体部に組み合わせた際に前記凹部に収納された人形に面する側に、装飾が施されていてもよい。節句人形のような縁起物として扱われる人形用収納ケースには、一般的に神社等のお守や御札等の装飾が設けられる場合がある。節句人形は年間のうち一時期に限って展示される場合が多く、大部分は保管状態にある傾向にあるが、このように上蓋のうち保管時に人形に面する側に装飾を設けることによって、これらの装飾が人形に好影響を与える心理的効果を長期に亘って与えることができる。
【発明の効果】
【００１６】
本発明によれば、収納時に人形が格納される本体部の凹部の少なくとも一部にシート部材を設けることにより、該本体部を立設されるだけで、凹部に収納した人形に高い装飾効果を付加して展示できる。特に展示した際に、凹部に設けられたシート部材が人形の背景として機能するため、人形の装飾効果を効果的に高めることができる。また、人形を本体部に収納したまま展示することができるので、展示中に本体部を別に保管する必要がなく、限られたスペースで効率的に展示することができる。
【図面の簡単な説明】
【００１７】
【図１】第１実施形態に係る収納ケースの外観を模式的に示す斜視図である。
【図２】収納ケースに収納された人形を示す断面図である。
【図３】収納ケースに収納された人形の様子を、上蓋を開けた状態で示す斜視図である。
【図４】本体部を単体で開口側から示す平面図である。
【図５】上蓋を単体で外枠部材が設けられた側から示す平面図である。
【図６】本実施形態に係る収納ケースを用いて人形を展示した際の配置例を示す正面図及び側断面図である。
【図７】図６に示す側断面図の変形例である。
【図８】第２実施形態に係る収納ケースを用いた展示例を示す斜視図と側断面図である。
【図９】第３実施形態に係る収納ケースを用いた展示例を示す斜視図及び側断面図、並びに、人形を収納ケース内に収納した保管状態における断面図である。
【図１０】第４実施形態に係る収納ケースを用いた展示例を示す斜視図である。
【発明を実施するための形態】
【００１８】
以下、添付図面に従って本発明の実施形態について説明する。ただし、この実施形態に記載されている構成部品の寸法、材質、形状、その相対的配置等は、特定的な記載がない限り本発明の範囲をこれに限定する趣旨ではなく、単なる説明例にすぎない。
【００１９】
図１は本実施形態に係る収納ケース１の外観を模式的に示す斜視図であり、図２は該収納ケース１に収納された人形４を示す断面図である。図３は収納ケース１に収納された人形４の様子を、上蓋を開けた状態で示す斜視図である。
収納ケース１は人形４が収納される本体部２と、該本体部２と組み合わせる上蓋３とを備える。本体部２は略直方体形状を有しており、その一面側は人形４を出し入れするために開口されている。人形４は本体部２の開口側から内側に向って凹状に形成された凹部５に収納される。一方、上蓋３は凹部５のうち本体部２と組み合わされた際に開口された側を塞いで、凹部５に収納された人形４が外界から隔離されるように、対応した略直方体形状を有している。
特に本体部２は後述するように、展示時に平面上に立設可能なように平坦部１０を有している。本実施形態では本体部２自体が略直方体形状を有しているため、必然的に平坦部１０が形成されているが、例えば本体部２が球形のように平面設置にとって不安定な形状を有する場合であっても、部分的に平坦部１０を設けるようにするとよい。
【００２０】
凹部５のうち開口側には、その縁に沿って内枠部材６が連続的に形成されている。内枠部材６は、その一部が凹部５より外側に張り出すように形成されている。本実施形態では内枠部材６は本体部２とは別部材として形成されており、接着剤等によって本体部２の開口の縁にそって張り付けられているが、内枠部材６を本体部２と一体的に形成してもよい。
上蓋３にはその縁に沿ってリブ状の外枠部材７が連続的に形成されている。外枠部材７の内側表面は上蓋３が本体部２と組み合わせた際に、内枠部材６のうち本体部２から外側に張り出した部分の外面表面と擦接することにより、本体部２と上蓋３とを互いに固定できるようになっている。
【００２１】
本体部２に形成された凹部５の表面の少なくとも一部にはシート部材８が設けられている。シート部材８は緩衝機能（例えば弾性又は収縮性）を有するシート状の部材である。本実施形態では特に、シート部材８は毛氈などの布地から構成されている。
尚、図３では収納ケース１に２体の人形４（４aと４ｂ）を収納した場合を例示しているが、人形４は単体であってもよいし、２体以上であってもよい。また収納ケース１は略直方体形状に形成された場合を例示しているが、その形状もまた適宜設計変更可能であることは言うまでも無い。
【００２２】
図４は本体部２を単体で開口側から示す平面図である。本実施形態では特に、凹部５のうち、収納ケース１を保管する際に重力下方側となる面（人形４の背面側）を覆うようにシート部材８が設けられている。このようにシート部材８を設けることにより、保管時に収納ケース１に収納された人形４が凹部５の底と摩擦して損傷を受けたり、収納ケース１に外力が加えられて振動した際であっても、凹部５に収納された人形４が痛まないように保護できる。
【００２３】
図５は上蓋３を単体で外枠部材７が設けられた側から示す平面図である。上蓋３のうち外枠部材７が設けられた側には、収納される人形４にちなんだ文字や絵柄等からなるデザインが配置されている。図５の例では、幸福、健康、安全などに関連するデザイン文字１０、神社仏閣に関連するシンボルマーク１１、贈り先の名称１２、贈り主の名称１３、製作者情報１４などが配置されている。
このように上蓋３に各種デザインを配置することにより、上蓋３を本体部２と組み合わせた際に、これらのデザインが凹部５に収納された人形４に対向する。特に、節句人形のような縁起物として扱われる人形用収納ケース１には、一般的に神社等のお守や御札等の装飾が設けられる場合がある。節句人形は年間のうち一時期に限って展示される場合が多く、大部分は保管状態にある傾向にあるが、このように上蓋３のうち保管時に人形４に面する側に装飾を設けることによって、これらの装飾が人形４に好影響を与える心理的効果を長期に亘って与えることができる。
尚、図５に示した上蓋３のレイアウトはあくまで一例であり、そこに配置されてる文字や絵柄等のデザインは適宜変更可能であることは言うまでも無い。
【００２４】
図６は本実施形態に係る収納ケース１を用いて人形４を展示した際の配置例を示す正面図（a）及び側面断面図（ｂ）である。
収納ケース１のうち本体部２は、図２及び図３を参照して説明したように、保管時に凹部５に人形４を収納する。一方で、人形４を展示する際には、凹部５に人形４を収納した状態のまま本体部２を立設させることによって、人形４の姿勢を保管時と同様に維持しつつ、展示できるようになっている。図６（a）に示すように、本体部２を立設させると、人形４は自重によって足側が、内枠部材６が設けられた凹部５の側面に接触するように立つ。
このように本体部２に収納されたまま展示された人形４は、本体部２に設けられた凹部５の開口側を介して、観察することができる。その際、人形４の背面側には保護用に設置したシート部材５が背景として見えることとなる。
本実施形態では特に、シート部材５として赤色の毛氈を使用している。そのため、鮮やかなシート部材５が人形４の背景として機能し、人形４の装飾効果を高めることができる。このように、人形４を本体部２に収納したまま展示することができるので、展示中に本体部２を別に保管する必要がなく、限られたスペースで効率的に展示を行うことができる。
シート部材５が例えば屏風のような背景となる装飾品の代わりとして機能する。そのため、屏風のような付属の装飾品を別物品として用意する必要がなくなると共に、本来、別の場所に保管すべき収納ケース１を装飾品の代用品として機能させることができるので、省スペース化と装飾効果の向上とを両立することができる。
【００２５】
凹部５に設けられた内枠部材６は、凹部５の内表面との間に段差部９を形成するように設けられている。図６（ｂ）に示すように、本体部２を立設させた状態で展示された人形４は、その平坦な底部が該段差部９に乗り上げるように配置される。これにより、重力方向（一点鎖線Aを参照）に比べて人形４の重心線を破線Bに示すように背面側に傾けることができる。このように段差部９を設けることによって、凹部５に収納された状態で展示された人形４の重心を背面側に移動させることで、人形４が本体部２の開口から外側に脱落することを防止し、安定性を向上させることができる。
【００２６】
図７は図６（ｂ）の変形例を示す側断面図である。この変形例では、凹部５と内枠部材６とによって形成された段差部９が、人形４の平坦な底部より凹部５の縁部側に形成されている点において、上記実施形態と異なっている。このように段差部９を設けると、凹部５に収納された状態で展示されている人形４が、本体部２が傾くなどすることによって凹部５の縁側に滑ったとしても、人形４の底部が段差部９に引っかかり、そのまま外部に脱落することを防止することができる。
【００２７】
図８は第２実施形態に係る収納ケース１を用いた展示例を示す斜視図（a）と側断面図（ｂ）である。尚、上記説明と共通する点に関しては共通の符号を付すこととし、重複する説明は適宜省略するものとする。
第２実施形態では、保管時に本体部２と組み合わされる上蓋３を台座として機能させる。即ち、上蓋３を設置面上に外枠部材７が設けられた側が下側になるように安定配置させ、その上に凹部５に人形４を収納した状態の本体部２を載せる。このように保管時とは異なる態様で本体部２と上蓋３とを組み合わせることによって、実質的に台座上に観賞用ケースを設けた展示スペースを作り上げることができる。
このような展示例もまた、余分な部材を用いることなく、保管用の収納ケース１を効率的な配置で利用することによって実現できるので、省スペースと装飾効果の向上とを両立することができる。
【００２８】
図９は第３実施形態に係る収納ケース１を用いた展示例を示す斜視図（a）及び側断面図（ｂ）、並びに、人形４を収納ケース１内に収納した保管状態における断面図（ｃ）である。尚、上記説明と共通する点に関しては共通の符号を付すこととし、重複する説明は適宜省略するものとする。
第３実施形態では、シート部材８は凹部５の底部から凹部５の縁部を経て延在して設けられている点において上記各実施形態と異なっている。このようにシート部材８を延在して設けることにより、図９（a）及び（ｂ）に示すように、展示時にはより広い範囲に亘って鮮やかなシート部材８を閲覧者に視認させることができ、より積極的に装飾効果をアピールすることができる。
【００２９】
一方、図９（ｃ）に示すように、人形４を収納ケース１内に保管する場合には、延在して設けられたシート部材８の一部を凹部５に収納した人形４に上側から覆い被せる。これにより、人形４は上下側からシート部材８で囲まれるため、保護効果を更に向上させることができる。
【００３０】
図１０は第４実施形態に係る収納ケース１を用いた展示例を示す斜視図である。尚、上記説明と共通する点に関しては共通の符号を付すこととし、重複する説明は適宜省略するものとする。
第４実施形態では、展示時に、上蓋３のうち所定の文字やデザイン等がレイアウトされた側を表面に配置して、人形４を収納した本体部２と並べて配置する。このようなレイアウトを採用することにより、例えば人形４が節句人形の場合には、贈り先の名称、贈り主の名称、それにちなんだ文字や絵柄などを閲覧者に視認させ、装飾効果を向上させることができる。
【００３１】
以上説明したように、本実施形態に係る収納ケース１によれば、収納時に人形４が格納される本体部２の凹部５の少なくとも一部にシート部材８を設けることにより、該本体部２を立設されるだけで、凹部５に収納した人形４を高い装飾効果を伴って展示することができる。特に展示した際に、凹部５の表面に設けられたシート部材８が人形４の背景として機能するため、人形４の装飾効果を効果的に高めることができる。また、人形４を本体部２に収納したまま展示することができるので、展示中に本体部２を別に保管する必要がなく、限られたスペースで効率的に展示を行うことができる。
そして、上記各態様で説明したように、本実施形態に係る収納ケース１は本体部２と上蓋３の組み合わせパターンによって様々なバリエーションをとることができる。そのため、長年に亘って使用される節句人形のような人形を、ユーザの環境や好みによって高い自由度でレイアウトすることができる。このように、省スペースでありながら優れた装飾効果をえることができる。
【産業上の利用可能性】
【００３２】
本発明は、保管時に人形を保管する収納ケースとして機能しつつ、展示時には限られたスペースで人形に装飾効果を付加することのできる人形用収納ケースに利用可能である。
【符号の説明】
【００３３】
１  収納ケース
２  本体部
３  上蓋
４  人形
５  凹部
６  内枠部材
７  外枠部材
８  シート部材
９  段差部
１０  平坦部
【図１】
0005546591.tif 000002
【図２】
0005546591.tif 000003
【図３】
0005546591.tif 000004
【図４】
0005546591.tif 000005
【図５】
0005546591.tif 000006
【図６】
0005546591.tif 000007
【図７】
0005546591.tif 000008
【図８】
0005546591.tif 000009
【図９】
0005546591.tif 000010
【図１０】
0005546591.tif 000011